(57)【要約】【課題】束ね髪の安定性および操作便利性を向上するヘアバンドを提供する。【解決手段】止め座１は、底壁１１を持ち、底壁１１の両サイドに側壁１２がそれぞれ設置され、受容槽１３、接合部１４及び連接部１５が設置されている。蓋板２は、受容槽１３の上方と閉め合い、連接部２１が設置され、下に止め合い部２２が設置されている。弾力パーツ３は、端部３２、端部３３がそれぞれ止め座１及び蓋板２に寄りかかっている。止め板４は、接合部４１が設置され、受容槽１３に挿す挿し置き部４２が設置され、挿し置き部４２には止め合い部が設置されている。束ね帯５は、両端がそれぞれ接合部１４、接合部４１と接合している。束ね帯５の伸縮性によって髪を囲み束ねることが可能であり、弾力パーツ３の弾力性によって止め板４の止め合い部と止め合い部２２とが止め合う。【選択図】図１
0003143880.tif 000002
【実用新案登録請求の範囲】
【請求項１】
硬質材料で製造され、底壁を持ち、前記底壁の両サイドに側壁が設置され、前記底壁と両方の前記側壁との間に受容槽を持ち、接合部と連接部が設置される止め座と、
前記受容槽の上方の蓋として閉め合い、前記受容槽の前方に挿し口を持たせるようになっており、前記蓋板に連接部が設置され、前記連接部によって前記蓋板と前記止め座が連接され、前記蓋板の下に止め合い部が設置される蓋板と、
端部がそれぞれ前記止め座及び前記蓋板に寄りかかり、前記蓋板に前記弾力パーツの弾力性を利用して前記止め合い部を提供する弾力パーツと、
硬質材料で製造され、接合部が設置され、前記受容槽に挿す挿し部が設置され、前記挿し部には止め合い部が設置される止め板と、
伸縮性のある材質で製造され、両端がそれぞれ前記止め座及び前記止め板の前記接合部と接合する束ね帯と、から構成され、
髪を束ねる時は、前記束ね帯は伸縮性によって髪を囲み束ねることが可能であり、前記止め板を前記止め座の前記挿し口から挿し、前記弾力パーツの弾力性によって前記止め板の前記止め合い部と前記蓋板の前記止め合い部とは止め合うことが可能であることを特徴とするヘアバンド。
【請求項２】
前記止め座の前記接合部は、前記底壁の裏に設置され、前記連接部は両サイドの壁に設置され、前記連接部には連接穴があり、前記連接穴には連接体が設置され、前記蓋板は前記止め座の前記連接部に対応する位置に前記連接部が設置され、前記連接部に連接板及び連接穴が設置され、よって、前記連接体が前記止め座と前記蓋板の前記連接部の前記連接穴に挿され、前記蓋板と前記止め座を連接させ、前記弾力パーツはひねりばねであり、前記ばねに前記連接体が設置され、両端はそれぞれ前記止め座の前記底壁と前記蓋板の内面に寄りかかり、前記蓋板が前記弾力パーツの弾力性を利用して閉め合うことを特徴とする請求項１記載のヘアバンド。
【請求項３】
前記蓋板の前記止め合い部は、止め体であり、前記止め板の前記止め合い部は止め穴であり、前記止め体と止め合うことが可能であることを特徴とする請求項１記載のヘアバンド。
【請求項４】
前記蓋板の前記止め体は、傾斜面を持ち、前記止め板は挿し位置部位に傾斜面を持ち、前記止め板の前記傾斜面は前記止め体の前記傾斜面に寄りかかり、前記蓋板の開く動作になることを特徴とする請求項３記載のヘアバンド。
【請求項５】
前記止め板に一カ所以上の前記止め穴が設置され、前記止め穴と前記止め体の適当な止め合いによって微妙に閉まり具合を調節することを特徴とする請求項３記載のヘアバンド。
【請求項６】
前記蓋板の上方には飾り体が設置されていることを特徴とする請求項１記載のヘアバンド。
【考案の詳細な説明】
【技術分野】
【０００１】
本考案は、髪を束ねる時の安定性を向上し、使いやすいヘアバンドに関する。
【背景技術】
【０００２】
従来のヘアバンドは、髪を束ねることに使われる。図９に示すように、従来のヘアバンド１’構造は、主に、一つの束ね帯１１’、一つの結合件１２’を有する。そして、束ね帯１１’は伸縮性を持つ材質で製造され、両端が結合件１２’によって環状圏形体に結合される。そして、ヘアバンド１’を数回巻き込む(図面には表示されていません)ことができ、ヘアバンド１’の径口を小さくする。
【０００３】
しかし、前述した構造は、ヘアバンド１’を折り曲げてちょっと力を入れてから、径口を開けることができ、髪を縮小した径口のヘアバンド１’に通すことができるようになり、髪を束ねる時に不便であるという欠点がある。しかも、ヘアバンド１’を取り外す時も、ちょっと力を入れて、ヘアバンド１’を開けてから、ヘアバンド１’を髪から外すことができ、よく操作ミスによって髪を強引に抜くことが発生する。
【０００４】
図１０から図１１に示す二つめの従来のヘアバンド構造は、主に、プラスチック材質で一体成形した曲がるヘアバンド２’である。ヘアバンド２’には片方に数個の喰い歯２１’が設置してあり、もう片方には止め穴２２’が設置されている。よって、髪を束ねる時、ヘアバンド２’を曲げて髪を束ね合わせることができる。そして、その片方を穴２２’に挿し止め、更に適当な位置に喰い歯２１’と止め歯２２’を止め合わせ、ヘアバンドの緊密具合を安定させる。
【０００５】
しかし、ヘアバンド２’は、前述したヘアバンド１’より束ねやすいが、ヘアバンド２’は伸縮性がなく、人体の髪は油質を持っているため、ヘアバンド２’は髪を暫く束ねてから、滑り落ちることになり、束ね髪の安定性が欠ける欠点を持っている。
また、従来のヘアバンドは、縛りこむ方式で髪を束ねることもあるため、その縛り方式には操作が不便であるという欠点がある。
【考案の開示】
【考案が解決しようとする課題】
【０００６】
本考案の目的は、束ね髪の安定性および操作便利性を向上するヘアバンドを提供することにある。
【課題を解決するための手段】
【０００７】
本考案のヘアバンドは、一つの止め座、一つの蓋板、一つの弾力パーツ、一つの止め板及び一つの束ね帯などを含む。そして、止め座は、硬質材料で製造され、底壁を持つ。底壁の両サイドに側壁がそれぞれ設置され、底壁と両方の側壁との間に受容槽を持ち、また、底壁の裏に接合部が設置され、束ね帯を接合させる。また、二個の側壁に連接部が設置され、連接部には連接穴があり、連接穴には連接体が設置されている。また、蓋板は前述した受容槽上方の蓋として閉め合い、受容槽の前方に挿し口を持たせるようになる。また、蓋板には止め座の連接部に対応する位置に連接部を設置する。そして、連接部に連接板及び連接穴を設置する。よって、連接体を止め座と蓋板の連接部の連接穴に挿し、蓋板と止め座を連接させる。そして、蓋板の下に止め合い部を設置し、止め合い部を止め体とする。しかも、蓋板の裏に向かって下向き傾斜の傾斜面を設置し、また、蓋板の上方に飾り体を設置することができる。また、弾力パーツはひねりばねであり、ばねに前述連接体を設置し、両端はそれぞれ止め座の底壁と蓋板の内面に寄りかかり、蓋板が弾力パーツの弾力性を利用して閉め合う。また、止め板は、硬質材料で製造され、接合部が設置してある。そして、接合部は束ね帯をもう片方に接合することができ、また、前方に前述した受容槽内に挿す挿し置き部が設置され、挿し置き部には止め合い部が設置される。そして、止め合い部は、数個止め穴を持つことができる。しかも、挿し置き部の前方に傾斜面を設置する。また、束ね帯は、伸縮性のある材質で製造され、両端がそれぞれ止め座、止め板の接合部と接合する。これによって、髪を束ねる時は、束ね帯は伸縮性によって髪を数回囲み束ねることができ、止め板を止め座の挿し口から挿し、止め板の傾斜面は止め体の傾斜面に寄りかかり、よって、蓋板を開く動作ができる。そして、止め板の止め穴を止め合い部の位置に移動させる時、弾力パーツの弾力性を利用して、止め合い部と止め穴を止め合わせる。そして、ヘアバンドは、束ねた髪を固定でき、しかも、束ね帯は伸縮性によって髪を束ねるため、ヘアバンドの脱落という心配がない。また、止め板に止め穴が数箇所設置してある場合、必要に応じて適当な止め穴と止め合い部を止め合わせる。そうすれば、束ね髪の緊密度を微妙に調整しやすくなる。また、髪を束ねた後、蓋板の上にある飾り体は蓋板と止め座に被り、束ね髪のデコレーション及び全体の美観を増進することができる。また、ヘアバンドを外したい時は、使用者が手で直接蓋板を開けて、止め合い部を止め穴から外すことができる。よって、簡単に止め板と止め座を離すことができ、しかも、束ね帯の収縮力により止め板を素早く止め座から外すことができるようになり、ヘアバンドを取り外す便利性を増進する。尚、本考案の飾り体は蓋板の上方にあるため、手で飾り体を引けば、蓋板が開くことによって操作の便利性を増進させる。
【考案を実施するための最良の形態】
【０００８】
図１から図３を参照する。本考案の一実施形態によるヘアバンドは、一つの止め座１、一つの蓋板２、一つの弾力パーツ３、一つの止め板４及び一つの束ね帯５などを含む。止め座１は、硬質材料で製造され、底壁１１を持ち、底壁１１の両サイドに側壁１２がそれぞれ設置されている。底壁１１と両方の側壁１２との間に受容槽１３を持ち、また、底壁１１の裏に接合部１４を設置し、接合部１４には通り穴を持ち、束ね帯５の片方を通し、束ね帯５と接合させる、また、二個の側壁１２に連接部１５を設置し、連接部１５には連接穴があり、連接穴には連接体１６を設置する。
【０００９】
また、蓋板２は前述した受容槽１３上方の蓋として閉め合い、受容槽１３の前方に挿し口１３１を持たせるようになり、また、蓋板２が止め座１の連接部１５に対応する位置に連接部２１を設置する。そして、連接部２１に連接板と連接穴を設置する。よって、連接体１６を止め座１と蓋板２の連接部１５、連接部２１の連接穴に挿し、蓋板２と止め座１を連接させる。そして、蓋板２の下に止め合い部２２を設置し、止め合い部２２を止め体とする。しかも、蓋板２の裏に向かって下向き傾斜の傾斜面２３を設置し、また、蓋板２の上方に飾り体２４を設置することができる。
【００１０】
弾力パーツ３は、ひねりばねであり、ばね３１に前述連接体１６を設置し、端部３２、端部３３はそれぞれ止め座１の底壁１１と蓋板２の内面に寄りかかり、蓋板２が弾力パーツ３の弾力性を利用して閉め合う。
止め板４は、硬質材料で製造され、接合部４１が設置してある。そして、接合部４１には束ね帯５をもう片方に接合することができ、また、前方に前述した受容槽１３内に挿す挿し部としての挿し置き部４２を設置する。挿し置き部４２には止め合い部を設置する。止め合い部は数個の止め穴４２１、止め穴４２２、止め穴４２３を持つことができる。しかも、挿し置き部４２の前方に傾斜面４３を設置する。
【００１１】
束ね帯５は、伸縮性のある材質で製造され、両端はそれぞれ止め座１、止め板４の接合部１４、接合部４１と接合する。
図３から図６を参照する。本実施形態は、髪を束ねる時は、束ね帯５が伸縮性によって髪を数回囲み束ねる（図６に示すように）ことができる。そして、止め板４を止め座１の挿し口１３１から挿し、止め板４の傾斜面４３は止め体の傾斜面２３に寄りかかり、よって、図３のように蓋板２を開く動作ができる。そして、図４に示すように、止め板４の止め穴４２１を止め合い部２２の位置に移動させる時、弾力パーツ３の弾力性を利用して、止め合い部２２と止め穴４２１を止め合わせる。そして、ヘアバンドは束ねた髪を固定でき、しかも、束ね帯５は伸縮性によって髪を束ねるため、ヘアバンドの脱落という心配はない。
【００１２】
図５を参照する。本実施形態は、もう一つの止め穴４２３を止め合い部２２と止め合わせる。そうすれば、束ね髪の緊密度を微妙に調整しやすくなり、よりよい実用性を持つ。また、髪を束ねた後、蓋板２の上にある飾り体２４は蓋板２と止め座１に被り、束ね髪のデコレーション及び全体の美観を増進することができる。
図７と図８を参照する。本実施形態は、ヘアバンドを外したい時は、使用者が手で直接蓋板２或は飾り体２４を開け、蓋板２を上に開き、止め合い部２２を止め穴４２３から外すことができる。よって、簡単に止め板４と止め座１を離すことができ、しかも、束ね帯５の収縮力により止め板４を素早く止め座１から外すことができるようになり、ヘアバンドを取り外す利便性を増進する。尚、本実施形態の飾り体２４は、蓋板２の上方にあるため、手で飾り体２４を引けば、蓋板２が開くことによって操作の利便性を増進させる。
【００１３】
本実施形態は、止め座、蓋板の前方に連接部を設置することができ、止め座と蓋板を連接させる。そして、弾力パーツを止め座の前方に設置し、蓋板は後ろから開け閉めすることができ、止め板は止め座から脱離或は止め合う。そのため、本実施形態の蓋板は、必ずしも前方から開けるのではない。また、本実施形態の束ね帯は、貼り付け或はその他の方式によって止め座、止め板と接合させることができる。そして、本実施形態の蓋板の上には必ずしも飾り体を設置することはなく、止め板に止め穴一つのみあれば、締まり合い固定する功能を持つ。
前述実施形態はただ本考案の例示であり、本考案の制限ではなく、本考案は本考案の精神の内に変更及び修正することができる。
【図面の簡単な説明】
【００１４】
【図１】本考案の一実施形態によるヘアバンドを示す分解斜視図である。
【図２】本考案の一実施形態によるヘアバンドを示す斜視図である。
【図３】本考案の一実施形態によるヘアバンドの止め座と止め板の動作を示す断面図である。
【図４】本考案の一実施形態によるヘアバンドの止め座と止め板の止め合い状態を示す断面図である。
【図５】本考案の一実施形態によるヘアバンドの止め座と止め板の止め合い状態を示す断面図である。
【図６】本考案の一実施形態によるヘアバンドの髪を束ねた状態を示す模式図である。
【図７】本考案の一実施形態によるヘアバンドの止め座と止め板の分離状態を示す断面図である。
【図８】本考案の一実施形態によるヘアバンドの止め座と止め板の分離状態を示す模式図である。
【図９】従来のヘアバンドを示す模式図である。
【図１０】従来のヘアバンドを示す斜視図である。
【図１１】従来のヘアバンドの髪を束ねた状態を示す模式図である。
【符号の説明】
【００１５】
１：止め座、１’：ヘアバンド、２：蓋板、２’：ヘアバンド、３：弾力パーツ、４：止め板、５：束ね帯、１１：底壁、１１’：束ね帯、１２：側壁、１２’：結合件、１３：受容槽、１４：接合部、１５：連接部、１６：連接体、２１：連接部、２１’：喰い歯、２２：止め合い部、２２’：止め穴、２３：傾斜面、２４：飾り体、３１：ばね、３２：端部、３３：端部、４１：接合部、４２：挿し置き部（挿し部）、４３：傾斜面、１３１：挿し口、４２１：止め穴、４２２：止め穴、４２３：止め穴
【図１】
0003143880.tif 000003
【図２】
0003143880.tif 000004
【図３】
0003143880.tif 000005
【図４】
0003143880.tif 000006
【図５】
0003143880.tif 000007
【図６】
0003143880.tif 000008
【図７】
0003143880.tif 000009
【図８】
0003143880.tif 000010
【図９】
0003143880.tif 000011
【図１０】
0003143880.tif 000012
【図１１】
0003143880.tif 000013